(57)【要約】【課題】  本発明は、雨天時に、屋外でビデオカメラ撮影をする場合に、ビデオカメラを雨から守る防滴カバーを提供することを課題とする。【解決手段】ビデオカメラ用防滴カバーの材質を樹脂部材とし、前方のカメラレンズ部と後方のカメラ操作部分を筒状に構成し、該防滴カバーの一側面にビデオカメラの液晶モニター部を開閉自在に通過可能とする窓部を開設し、該窓部に、窓部前面に設けたヒンジ部で水平方向に開閉自在の扉を設け、該扉上部にビデオカメラの液晶モニター部を保護するひさし部材を設置した防滴カバーで、扉とひさしを透明部材とし、液晶モニターを反転させて収納した場合でも防滴カバー外側からでもモニター画面の確認を可能とした。また、筒状の防滴カバー底面の後方に切り欠きを構成し、防滴カバーをカメラに取り付けたままでバッテリー交換を可能にした。【選択図】  図１
2017161684.tif 000002
【特許請求の範囲】
【請求項１】
ビデオカメラ本体を内装載置して被覆する防滴カバーの材質を樹脂部材とし、前方のカメラレンズ部と後方のカメラ操作部に相当する部分を開放した筒状に形成し、防滴カバー前方のカメラレンズ部を覆う部分が、上面端部が底面端部より前方に、ひさし上に出ている構成とし、該防滴カバーの底面部に三脚へ取り付けるクイックシューの取り付け部と該防滴カバー底面部の後方カメラ操作部に相当する底面箇所を切り欠いて、バッテリーの点検若しくは交換操作する開口部を設けて構成することを特徴とするビデオカメラ用防滴カバー。
【請求項２】
防滴カバーを構成する樹脂部材を撓み機能を有する湾曲変形可能な剛性樹脂シート部材とし、筒状の防滴カバーの前後長さ方向に沿って防滴カバーを組み立て分解ができる接続と切り離しが自在に可能な構成とし、防滴カバーを必要としない場合に、平らに展開できることを特徴とする、請求項１に記載のビデオカメラ用防滴カバー。
【請求項３】
防滴カバーの一側面にビデオカメラの側部に設けられる液晶パネル部を開閉自在に通過可能とする窓部を開設し、該窓部に、窓部の前部に設けた縦方向のヒンジ部または折り曲げ可能部で水平方向に開閉自在な扉を設け、該扉の上部にビデオカメラの液晶パネル部を上方より覆って保護するひさし部材を配置したことを特徴とする、請求項１または請求項２に記載のビデオカメラ用防滴カバー。
【請求項４】
防滴カバーの材質が透明な樹脂部材で構成され、ビデオカメラの側部に設けられる液晶パネル部を反転して収納した際に防滴カバーの外側より液晶モニターの画面を見ることができるようにした、請求項１、請求項２および請求項３に記載のビデオカメラ用防滴カバー。
【請求項５】
防滴カバーの上面を、上方に凸形態となるドーム状に湾曲させ、ビデオカメラの上面と防滴カバーの間に指の挿入空間を構成していることを特徴とする、請求項１、請求項２、請求項３および請求項４のいずれかに記載のビデオカメラ用防滴カバー。
【請求項６】
防滴カバーの表面に、雨滴音を消音する消音部材を塗布若しくは貼り付け（付設）構成した、請求項１、請求項２、請求項３、請求項４および請求項５のいずれかに記載のビデオカメラ用防滴カバー。
【請求項７】
防滴カバーの前後長さ方向に沿って折り曲げ可能部を構成し、該防滴カバーを収納態様姿勢と使用態様姿勢とに折り曲げ可能部で折り畳み展開自在に構成した、請求項１、請求項２、請求項３、請求項４、請求項５および請求項６のいずれかに記載のビデオカメラ用防滴カバー。
【請求項８】
防滴カバーの扉を配置する一側面の反対側他側面に、カメラを手で支持するベルトを設けた請求項１、請求項２、請求項３、請求項４、請求項５、請求項６および請求項７のいずれかに記載のビデオカメラ用防敵カバー。
【発明の詳細な説明】
【技術分野】
【０００１】
本発明はビデオカメラを手持ちで撮影する場合や、三脚に固定して撮影する場合、あるいは携帯する場合に雨からビデオカメラを保護する防滴カバーに関するものである。
【背景技術】
【０００２】
雨天時に屋外でビデオカメラ撮影をする場合、ビデオカメラを雨滴から保護するために、傘をさすなどの防滴処置が必要となる。手持ちで撮影する場合は片手でビデオカメラを支持し反対の手に傘を持って撮影する状態になり両手が塞がり危険なうえ行動が制限される。また、三脚に固定した状態で撮影する場合は、ビデオカメラ用の三脚とは別にスタンド等を設置し傘を固定するか、あるいは、三脚の傍で人が傘をさし続ける方法で対処しなければならない。
【０００３】
この問題に鑑み、これまで様々なビデオカメラ用の防滴カバーが提案されているが、剛性の樹脂部材でビデオカメラ全体を密閉して覆うものがほとんどである。
ビデオカメラ全体を密閉して覆うことにより防滴効果は絶大であるが、逆に、密閉してあるが故に、ビデオカメラ電源用のバッテリー交換やビデオカメラ電源のオン、オフといった操作性は悪くなる。特にバッテリー交換は一度防滴カバーを取り外し、バッテリーを交換し再度防滴カバーを取り付けるなど手間がかかり、せっかくの撮影の機会を逃しかねない問題がある。
【０００４】
また、屋外撮影の場合、ビデオカメラ器材は収納スペースを極力少なくして効率的に搬送できることが求められるが、箱型に形成された剛性樹脂部材のカバーは、ビデオカメラを外した状態では、中が空洞の箱型形状になっているために無駄な容積が大きく嵩張るという弱点を有する。
【０００５】
上記の問題に対し、収納スペースを少なくするために折り畳み可能な軟性のシート部材で全体を覆う形態のカバーも考案されている。各スイッチ類の操作は、軟性のシート素材の特徴を生かしカバーを付けた状態でカバーの外側からの操作は可能であるものの、バッテリー交換時の、一旦カバーを外す手間は上記防滴カバーと同じである。
【０００６】
また、軟性シートの場合は、その柔軟さ故に表面がどのような形にも変形するため、窪みなど、雨滴が溜まる部分が所々に発生する危険性がある。このため、使用後のカバーを
取りはずす場合に、表面の雨滴がカメラに付かないよう、慎重に行わなければならないという問題点があるが、簡単に折りたためて携帯できる利点がある。
つまり、ビデオカメラ用防滴カバーの条件として、防滴性能と操作性の相反する二つの要件と折り畳みなどしてコンパクトに携帯し易いことが優れた防滴カバーの条件と言える。
【０００７】
このような従来状況を加味して本発明の背景技術を検討するに、剛性の樹脂部材でビデオカメラ全体を覆う形態のカバーが特許文献１および特許文献２に示され、軟性シート部材で全体を覆う形態の防滴カバーが特許文献３に示されている。また、折りたたみにする防滴カバーが特許文献４に示されている。
【特許文献１】特開平８−１０１４４０号公報
【特許文献２】特開２００３−５１９７４号公報
【特許文献３】特開２００４−１２８５２９号公報
【特許文献４】特開２０１４−１１９６９０号公報
【発明の概要】
【発明が解決しようとする課題】
【０００８】
特許文献１はカメラの防滴ケースに係るもので、防滴ケースは剛性の樹脂部材でビデオカメラ全体を覆う形態である。ビデオカメラの主流は、カメラ側面部に液晶モニターが配置され扉状に開閉可動する形式がほとんどである。該形態のビデオカメラの場合、モニターを扉状に開いた内側に操作ボタンがある、あるいは液晶画面がタッチパネル方式で操作できるように設計されており、電源のオン、オフ、あるいはズーム以外の細かい操作は、該防滴ケースで覆ってしまうと困難であるという問題がある。また、防滴ケースの装着は、底板とビデオカメラ本体をカメラネジで固定してさらに防滴ケースを底板に固定する方式の固定方法であり、組み立てに手間がかかる。さらに、防滴ケースで全体を覆っているため、防滴効果は高いものの、撮影途中でバッテリーが切れた場合、防滴ケースを分解してバッテリー交換しなければならない為、作業性が悪いという問題も有している。
【０００９】
また、防滴ケースはほぼ直方体で前面が底板に対しほぼ垂直になっており、撮影時に雨滴が防滴ケースの前面をつたい降りて録画する画面に写る可能性が高い。
【００１０】
特許文献２に示されるビデオカメラのカバーも特許文献１と同じような構成であるが、ビデオカメラと防滴カバーの取り付けはカバーの天板とカメラ上部を接続する方式である。
該防滴カバーは特許文献１と同じようにほぼ直方体で前面が天板に対しほぼ垂直になっており、撮影時に雨滴が前面をつたい録画する画面に写る可能性が高い。また、側面モニターが大型化した主流のビデオカメラには対応しておらず、小型モニターの場合にのみモニターを扉状に防滴カバー内で開き使用することが可能であり作業性が悪い。
【００１１】
特許文献３に示されるビデオカメラ用のカバーは、軟性のシート部材を縫い合わせ、若しくは一体構成された防滴カバーに関するものである。
【００１２】
このような軟性シートで構成される防滴カバーの場合は、ビデオカメラ全体を覆った防滴カバーの外側から各スイッチを操作可能であるほか、防滴カバーが不要になった場合、小さくたためる利点がある。
しかし、防滴カバーの材質が軟性シート部材であるが故に、自在に変形可能で、窪みができ易く、雨水の溜まりができる可能性がある。防滴カバーを取り外すときに注意しなければ防滴カバーに溜まった雨水でビデオカメラを濡らしてしまう恐れがあり、取り扱いを慎重に行わなければならない欠点も併せ持つ。
【００１３】
特許文献４の雨天用カメラカバーには、ビデオカメラ用防滴カバーを折りたたみにする収納態様姿勢と、折りたたみを箱型に展開する使用態様姿勢の構成が示されている。
しかし、ビデオカメラの主流である側面に大型液晶モニターを有する形態のビデオカメラに対し、側面が開閉できず、操作性の配慮に欠けている。
また、折りたたむ場合、剛性の樹脂部材が４層に重なるたたみ方が示されており、たためるが、厚みが厚い状態で、カメラバッグなどの中では無駄な容積を占めてしまい実用性に欠ける。
【課題を解決するための手段】
【００１４】
本発明は、前述の課題解決のために、第一に、ビデオカメラ本体を内装載置して被覆する防滴カバーの材質を樹脂部材とし、前方のカメラレンズ部と後方のカメラ操作部に相当する部分を開放した筒状に形成し、防滴カバー前方のカメラレンズ部を覆う部分が、上面端部が底面端部より前方に、ひさし上に出ている構成とし、該防滴カバーの底面部に三脚へ取り付けるクイックシューの取り付け部と該防滴カバー底面部の後方カメラ操作部に相当する底面箇所を切り欠いて、バッテリーの点検若しくは交換操作する開口部を設けて構成することを特徴とするビデオカメラ用防滴カバーにしたものである。
【００１５】
これにより、手持ちで撮影する場合は、上記筒状に構成した防滴カバー内にカメラを内装載置して、底面からカメラネジで該防滴カバーとカメラ本体を締結固定し、三脚に固定して撮影する場合は、上記締結方法において、該カバー底面の下にクイックシューを配置して、ビデオカメラ本体、該カバー、クイックシューをまとめてカメラネジで固定して使用することにより、手持ち撮影の場合も、三脚に固定して撮影する場合もひとつの防滴カバーで対応できることを特徴とするほか、防滴カバーを取り付けた状態でもカメラのバッテリーが交換できる構成とすることを特徴とした。
また、防滴カバー前方のカメラレンズを覆う部分が、上面端部が底面端部より前方に、ひさし状に出ている構成とすることで、レンズに直接雨滴がかからないようにしたことを特徴とした。
【００１６】
第二に、防滴カバーを構成する樹脂部材を撓み機能を有する湾曲変形可能な剛性樹脂シート部材とし、筒状の防滴カバーの前後長さ方向に沿って防滴カバーを組み立て分解ができる接続と切り離しが自在に可能な構成とした。これにより、防滴カバーを必要としない場合に分解して平らに展開でき、携帯し易い形状にすることを特徴とした。
【００１７】
第三に、  防滴カバーの一側面にビデオカメラの側部に設けられる液晶パネル部を開閉自在に通過可能とする窓部を開設し、該窓部に、窓部の前部に設けた縦方向のヒンジ部または折り曲げ可能部で水平方向に開閉自在な扉を設け、該扉の上部にビデオカメラの液晶パネル部を上方より覆って保護するひさし部材を配置した構成とした。
ビデオカメラは、一側面に大型液晶モニターが配置されており、開いて撮影画像が確認できる構造が主流であり、本発明の防滴カバーは、雨の日でも該液晶パネル部の大型液晶モニターを開いて撮影することができることを特徴とした。
【００１８】
第四に、防滴カバーの材質が透明な樹脂部材で構成され、ビデオカメラの側部に設けられる液晶パネル部を反転して収納した際に防滴カバーの外側より液晶モニターの画面を見ることができるようにしてある。すなわち、該窓部に設けた扉とひさし部材の材質である樹脂部材を透明な樹脂部材とすることで、液晶モニターを扉状に開き１８０度反転させ再度収納した状態とし、該カバーのひさしと扉を閉じた状態でも、該カバー側面に現出するモニター画面を該カバーの外側から認識できる構成としたことを特徴とした。また、窓を設置しない場合でも、防滴カバーの全体が透明であれば、液晶モニターを反転収納時には、外側からモニター画面を認識できる特徴がある。
【００１９】
第五に、  防滴カバーの上面を、上方に凸形態となるドーム状に湾曲させ、ビデオカメラの上面と防滴カバーの間に指の挿入空間を現出している構成とし、内装載置したビデオカメラ本体の上部と防滴カバーの間に隙間を形成し、ビデオカメラの上部にズーム操作のスイッチ類がある場合、操作するために指を挿入する空間を設けることでこれらのスイッチ操作を円滑に遂行できることを特徴とした。
【００２０】
第六に、  防滴カバーの表面に、雨滴音を消音する消音部材を塗布若しくは付設する構成にしたことを特徴とした。これにより、防滴カバーにふりそそぐ雨音が心配されるが消音部材の存在で雑音なく撮影できる利点がある。
また、第七に、防滴カバーの前後長さ方向に沿って折り曲げ可能部を構成し、防滴カバーを収納態様姿勢と使用態様姿勢とに折り曲げ可能部で折り畳み展開自在にすることを特徴とした。これにより、不使用時には収納態様姿勢にコンパクトに折り畳み、使用時には筒状の使用態様姿勢に変換して使用できる利点がある。
第八に、防滴カバーの扉を配置する一側面の反対側他側面に、カメラを手で支持するベルトを設けることを特徴とした。これにより、防滴カバーを有する構成でありながら片手操作で便利に撮影できる利点がある。
【発明の効果】
【００２１】
本発明は雨天時にビデオ撮影する場合、雨滴からビデオカメラ本体を保護することを可能とした。撮影時は、ビデオカメラを手持ちで撮影する場合や三脚で撮影する場合があるが、どちらの場合でも対応できるよう、防滴カバーの底面にビデオカメラ取り付けのための調整機構を構成し、該調整機構に三脚取り付け用のクイックシューを取り付け、さらに側面に手持ち用のベルトを構成している。底面の後方のビデオカメラ操作部の一部に切り欠きを構成することで、防滴カバーを取り付けた状態でのバッテリー交換が可能となる利点がある。また、防滴カバー前方において、底面端部より上面端部をひさし状に前方に出ている構成とすることにより、雨避け効果を得られ、レンズに直接、雨滴が付着しにくい利点がある。
【００２２】
また、防滴カバーのベルト設置側面と反対側側面に、ビデオカメラ側面に開閉可能な液晶モニターがある場合のために窓を構成し、縦方向のヒンジ部または折り曲げ可能部で水平方向に開閉自在の扉を構成し、扉状にビデオカメラの液晶モニターが開ける状態とした。また、扉上部上下に可動自在のひさし部を構成することにより雨よけの効果が得られる。以上の構成により、雨天時でもビデオカメラ側面の液晶モニターを水平方向に開き、大型画面を確認しながらの撮影ができる利点がある。
【００２３】
上記の扉とひさし部を透明部材で構成することにより、ビデオカメラの液晶モニターを反転させ閉じて収納しカメラ側面方向で撮影画像を見る場合、ひさしを扉内側に重ね折りさらに扉を防滴カバー側面に閉じて収納することにより、防滴カバー越しに該カバー側面より撮影画像を見ることができる利点がある。
【００２４】
屋外撮影の場合は、極力荷物を制限し簡単に移動できることが条件となるため、防滴カバーは、使用しない場合は荷物になるのでコンパクトに収納したい。本発明の防滴カバーは、ビデオカメラを取り付けない状態では単純な筒状となるため、上から押さえることにより、簡単につぶれほぼ平らになり、使用する場合は上面から押さえる力を除けば、筒状に復元する利点がある。なお、防滴カバーを組み立て分解自在の構成にしても同様の効果がある。
【００２５】
また、防滴カバーの材質の樹脂部材を、透明な湾曲変形可能な剛性樹脂シート部材とした場合、ビデオカメラの液晶モニターを反転収納すれば外側から撮影画像の確認が容易にできる利点があるほか、筒状の防滴カバーの前後長さ方向に沿って防滴カバーを接続と切り離しが自在に可能な構成することで防滴カバーを必要としない場合に平らに展開でき、携帯し易い形状にできる利点がある。
また、筒状の防敵カバーの扉とひさし部を除く上面および側面の表面にスポンジなど消音部材を構成することで、ケースに当たって発生する雨音を軽減できる利点がある。
以上に示した構成により、防滴効果が高く、且つ操作性も確保できる優れたビデオカメラ用防敵カバーが提供できる。
【図面の簡単な説明】
【００２６】
【図１】本発明の第一実施態様の防滴カバーの全体を示す斜視図である。
【図２】（ａ）はビデオカメラに防滴カバーをカメラネジで取り付けた状態の側面図である。（ｂ）はビデオカメラに防滴カバーをカメラネジで取り付けた状態の底面図である。
【図３】（ａ）はビデオカメラに防滴カバーと三脚取り付け用クイックシューをカメラネジで取り付けた状態の側面図である。（ｂ）はビデオカメラに防滴カバーと三脚取り付け用クイックシューをカメラネジで取り付けた状態の底面図である。
【図４】本発明の防滴カバーの扉を水平方向に開き、ビデオカメラを後方にずらした状態        の底面図である。
【図５】ビデオカメラの側面の液晶モニターを反転させて後にビデオカメラ側面に収納し、防滴カバーのひさしを扉に折り重ね、扉を閉じた状態の側面図である。
【図６】本発明の防滴カバーの正面図である。
【図７】第二実施態様として示す、防滴カバーの上面と側面、および底面と側面の境界の可動部の拡大図である。
【図８】図６の状態の本発明の防滴カバーを上から押しつぶした状態図である。
【図９】第三実施態様として示す、本発明の扉とひさしおよび底面を除く防滴カバーの周側面に、消音材を構成した正面図である。
【図１０】第四実施態様として示す、本発明の防滴カバーを透明な湾曲変形可能な剛性樹脂シート部材で構成したシート防滴カバーの斜視図である。
【図１１】平らなシート状に展開したシート防滴カバーの平面図である。
【図１２】シート防滴カバーを組み立てた接続部の接続例を示す正断面図である。
【図１３】シート防滴カバーを組み立てた状態を示す側面図である。
【図１４】第五実施態様として示す、材質が湾曲可能な樹脂部材で構成された底面と側面が平面になるように構成したシート防滴カバーの全体斜視図である。
【図１５】防滴カバーの折り曲げ可能部の詳細を示す要部の拡大断面図である。
【図１６】防滴カバーの折り曲げ可能部の応用例を示す要部の拡大断面図である。
【図１７】防滴カバーの周側面に付設する消音部材を面状ファースナーで取り付け可能とした態様を示す別の応用例を示す全体斜視図である。
【発明を実施するための形態】
【００２７】
以下、図面を用いて本発明を実施するための形態について実施例で説明する。
図１は、第一実施態様として示す本発明の防滴カバーの全体斜視図である。
防滴カバー１の材質は剛性の樹脂部材とし、前方のカメラレンズ部１４と後方のカメラ操作部１５を前部から後部に向けて通り抜け可能なトンネル空間とした筒状のケースに構成されている。該防滴カバー１の中（トンネル空間）にビデオカメラ６を入れ、底面の取り付け調整機構の長孔部９を利用して雄ネジで構成されるカメラネジ１０で防滴カバー１をビデオカメラ６に取り付け、防滴カバーを図１に示す使用態様姿勢と成す。
該防滴カバー１の一側面にビデオカメラの液晶モニター部（液晶パネル部）１６を開閉自在に通過可能とする窓部２を開設し、該窓部２に、窓部前面に設けた縦方向のヒンジ部５で防滴カバー１に扉ストッパー１２で密着する収納形態と防滴カバーの外側に直角状に張り出す開放形態に切り換え可能とする水平方向に開閉自在の扉３を設け、該扉３の上部にビデオカメラの液晶モニター部１６を上方から覆って雨滴から保護するひさし部４を設置した。該ひさし部材４は扉３の上部を支点に、扉３の裏側に密着する収納形態と扉３の上部に水平の屋根状に張り出す使用形態に切り換え自在にされている。これにより図１に示すようにひさし部材４を使用形態にすると雨天時でもビデオカメラの液晶モニター１６を扉状に開き、画面１７を確認しながらの撮影が可能となる。扉３およびひさし部材４は、その内部が透視可能な透明部材で構成されている。
【００２８】
図２（ａ）は、ビデオカメラ６に防滴カバー１をカメラネジ１０で取り付けた状態の側面図である。また、図２（ｂ）はビデオカメラ６に防滴カバー１をカメラネジ１０で取り付けた状態の底面図である。ビデオカメラ６を手持ちで撮影する場合は、図２の状態で可能である。手持ち撮影の場合は、ベルト８に手先を挿入する従来と同様の感覚でベルト８を利用して片手で防滴カバー１を支持して撮影を行う。
該ベルト８は、防滴カバー１の扉３を配置する一側面の反対側他側面に設けてある。
【００２９】
図３（ａ）は、ビデオカメラ６に防滴カバー１と三脚取り付け用クイックシュー１８をカメラネジ１０で取り付けた状態の側面図である。また、図３（ｂ）は、ビデオカメラ６に防滴カバー１と三脚取り付け用クイックシュー１８をカメラネジ１０で取り付けた状態の底面図である。
防滴カバー１の下部に三脚取り付け用のクイックシュー１８を撮影前に取り付ける。この状態にすることにより、撮影の都合でビデオカメラ６を手持ちで撮影したり、手持ち撮影の途中で三脚（図示せず）に固定した撮影に切り替えることが簡単にできる。
【００３０】
また、底面後方の端部にはコの字状に形成された切り欠き１３が構成してあり、ビデオカメラ６の後部に配置されているバッテリーの点検若しくは交換操作する開口部とされている。したがって、バッテリー７が消耗した場合は、ビデオカメラ６から防滴カバー１を外すことなくバッテリー７のみを切り欠き（開口部）１３を通して取り外しすることができて、新たなバッテリー７を切り欠き（開口部）１３を通して挿入して交換することができる。
【００３１】
筒状の防滴カバー１の前方レンズ側１４において、上面Ａを底面Ｂより寸法Ｌだけ前方に、ひさし状に長くすることでレンズフードが構成される結果となり、雨避けの効果を得られビデオカメラ６のレンズ２０に直接、雨滴が付着しないようにできる。すなわち、防滴カバー１前方のカメラレンズ部２０を覆う部分が、上面端部Ａが底面端部Ｂより前方に、ひさし状に出ている構成にされている。
【００３２】
図６に示すように、防滴カバー１の上部は上方に凸形態となるドーム型に湾曲している。
これにより、防滴カバー１とビデオカメラ６の上部の間には指が入るほどの挿入空間Tができ、カメラ上部にあるズーム操作などのスイッチ類（図示省略）の操作が簡単に行え、これらのスイッチ操作を円滑に遂行できる。
【００３３】
また、図４は、本発明の防滴カバー１の扉３を水平方向に外側へ開き、ビデオカメラ１を二点鎖線に示すごとく後方にずらした状態の底面図である。
カメラネジ１０を緩めるか、あるいは外してビデオカメラ６を後方側１５方向にずらし、
さらに扉３を外側の開放状態に開き、ビデオカメラ６の液晶モニター１６を上下方向に１８０度回転させ画面１７を反転させる。その後、画面１７を反転させて外側から画面１７が見える状態でビデオカメラ６の側面に液晶モニター１６を収納する。次ぎにビデオカメラ６を前方に移動し、再度カメラネジ１０を締めて、防滴カバー１を固定する。最後に、ひさし４を扉３の裏側となる内側に重ね折り扉４を閉じる。扉３とひさし４は透明部材で構成されているので、図５の状態を構成することができる。
【００３４】
図５は、ビデオカメラ１の側面の液晶モニター１６を画面１７が外側から見える状態に反転させビデオカメラ６側面に収納し、防滴カバー１のひさし４を扉３に折り重ね、扉３を閉じた状態の側面図である。
これにより、ビデオカメラ６の側面に液晶モニター１６の画面１７が見える状態になる。これは、扉３およびひさし４を透明部材で構成した効果であり、防滴カバー１の外側からでも画面１７を見ながら撮影することが可能となる。
【００３５】
図６は、本発明の防滴カバーの正面図である。第二実施態様として示す図７と図８の説明の前提としても援用する。第二実施態様のものは、底面と側面の境界２１、境界２２および上面と側面の境界２３、境界２４は、肉厚を薄くして弾性変形する折り曲げ可能部にされており、その詳細は図７に示す状態に構成する。これにより、折り曲げ可能部２１、２２の弾性力に抗して上面に力を加えて変形させると、図８のように各境界が折り曲げ可能に屈曲してつぶれた状態となる。
雨天時は防滴カバー１は必要であるが、雨がやんだ場合は必要がなくなり、余分な荷物になるため、収納時は図８の状態に変形させてコンパクトにして収納すると便利である。図８の状態は、弾性力で図６に復元するので、必要に応じて紐やゴム輪等で緊縛して折り畳み姿勢を保持する。
このように、防滴カバー１を筒状の剛性部材で構成し、該防滴カバー１の前後長さ方向に沿って折り曲げ可能部２２、２３を構成し、該防滴カバー１を折り曲げ可能部で折り畳み展開自在に構成されている。このように、防滴カバー１の前後長さ方向に沿って折り曲げ可能部２１、２２を構成し、防滴カバー１を図８に示す収納態様姿勢と図６に示す使用態様姿勢とに折り曲げ可能部２１、２２で折り畳み展開自在にされている。これにより、不使用時には図８の収納態様姿勢にコンパクトに折り畳み、使用時には図６に示す筒状の使用態様姿勢に変換して使用できる利点がある。
上記に説明の通り、図８は、上から力を加えている場合のみ変形する状態を示しており、力を入れないと元の図６の状態に復元展開する。これは、急な降雨があった場合に防滴カバー１をすぐに準備できる利点があり、防滴カバー取り付け後直ぐに撮影を再開できる。
【００３６】
図９は、第三実施態様として示すもので、本発明の扉３とひさし４および底面を除く防滴カバー１の周側面に、消音材を構成した図である。防滴カバー１の扉３とひさし部４を除く表面にスポンジ等の消音材２５を構成することにより、降雨が防滴カバー１の表面に当たる際の雨音を軽減する利点がある。
なお、防滴カバー１の表面に、スポンジ等の消音材２５を貼り付け（付設）する構成に代えて、雨滴音を消音する消音部材を塗布するようにしても良い。
【００３７】
図１０は、第四実施態様として示すもので、本発明の防滴カバーを撓み機能を有する透明な湾曲変形可能な剛性樹脂シート部材２６で構成したシート防滴カバーの斜視図である。
１枚のシート２６を筒状に丸め、接続部２７で接続することで筒状の防滴カバーを構成した。
これにより、反転収納した液晶モニター１６の画像１７を、シート防滴カバー２６の外側から確認しながら撮影することが可能となる。
シート防滴カバー２６を筒状に丸めた構成とすることで上面がドーム形状に構成することができ、ビデオカメラ６の上部のズーム操作等のスイッチ類を操作する指が挿入可能となる空間が確保できる。
シート防滴カバー２６の表面に三角の切りこみを入れ立ち起こし三角状の突起爪２８を構成し、スポンジ等の消音材２５を貼り付ける場合の止め具とした。
また、接続部２７を外すことにより、１枚の平らなシート２６に展開でき、携帯し易い形状にできる。
【００３８】
図１１は、平らなシート状に展開したシート防滴カバー２６の平面図である。
図１２は、シート防滴カバーを組み立てた状態の接続部２７の接続例を正断面で示し、図１３に側面図を示すものであり、切り込み２９に凸状のツメ３０を差込み接続することで、筒状のシート防滴カバー２６を構成することができる。
これら図１０に示す第四実施態様のものは、図１〜図９などで説明していた窓部２、扉３、ひさし部４が無い状態で、防滴カバー３１の全体が、撓み機能を有する性状のもので透明な湾曲可能な剛性のシート部材で構成された例である。
特に撮影時に液晶モニター６を開いて撮影する必要がない場合、液晶モニター１６を反転収納することで、液晶モニター１６の画像１７を、シート防滴カバー３２の外側から確認しながら撮影することが可能となる。
【００３９】
図１４は第五実施態様として示すシート防滴カバーの全体斜視図である。防滴カバーの材質の樹脂部材を湾曲変形可能な剛性樹脂シート部材で構成し、シート防滴カバーの前後長さ方向に沿って折り曲げ可能部を構成し、底面と側面が平面になるように構成したシート防滴カバーの例にしてある。
底面と側面が平面になるように構成したシート防滴カバー３１の形状は、ほぼ実施例１の図１と同じような形状であるが、接続部２７を外すことにより、平らに展開できる特徴がある。扉３、ひさし部４は透明な剛性シート部材とすることで、液晶モニター１６を反転収納し、扉３とひさし部４を閉じた状態で、液晶モニター１６の画像１７を、シート防滴カバー３１の外側から確認しながら撮影することが可能となる。
また、手で支持するベルト８を設置するに、ベルトを設置する側面とビデオカメラ６が離れていると、ベルトで支持した場合、シート防滴カバー３１が変形し撮影画像が斜めに傾く。これを防止するため、ビデオカメラ６が、なるべくベルト８を設置する側面に近づけるようにシート防滴カバー３１内で偏寄配置させて、カメラネジ１０とクイックシュー１８でビデオカメラ６とシート防滴カバー３１が固定できることを特徴とした。
さらに、シート防滴カバー３２を平らに展開し軽量化するために、扉３とひさし部４を蝶番構成とせずに屈曲自在な折り曲げ可能部３２を有するものを接着した接着部３３に構成し設置した。
【００４０】
図１５は折り曲げ可能部の詳細を示す要部の拡大断面図である。
シート防滴カバーの前後長さ方向に沿って、樹脂厚の薄い部分３４を形成することにより、
折り曲げ可能な構成とした。
図１６は、図１５の変形例として示すもので、防滴カバーの折り曲げ可能部を蝶番３５構成にした応用例を示す要部の拡大断面図である。
図１７は、防滴カバー１の周側面に付設する消音部材２５を面状ファースナーで３６取り付け可能とした態様を示す別の応用例を示す全体斜視図である。
面状ファースナーで３６は防滴カバー１の上面や側面に適宜配設されており、消音部材２５に設けた面状ファースナーと接合して取り付ける。また、消音部材２５を、空気を通過可能とするフィルタ素材などに代用すると、該フィルタ素材の空隙構成により、特に消音部材２５側に面状ファースナーを設けなくても防滴カバー１側の面状ファースナー３６に簡単に接合、分離できて便利である。
【産業上の利用可能性】
【００４１】
本発明は、野球やサッカーなどの屋外スポーツを観戦したり屋外イベントに参加した際に、ビデオ撮影を行う場合に利用できる。特に屋外でスポーツが行われる場合は少々の降雨でも実施される場合が多く、少雨のときビデオ撮影をする場合は、ビデオカメラを三脚に固定して傘をさし続けてカメラの操作をするなど、作業性が悪かった。
従来の防滴カバーは、ビデオカメラ全体を覆うものが多く、取り付けや取り外しに時間がかかる問題点を有していた。作業性も考慮した防水型のカバーもあるが、防水機能は有しているものの簡単に取り外しが出来ず、特に撮影途中にバッテリー交換が必要な場合には撮影を中断し、防水カバーを分解しバッテリー交換するなどの処置が必要で、手間がかかった。また、防水機能が高まるほど防水カバーの高価になる上、シール部分を痛めないようケースの取り扱いも慎重にならざるを得なかった。
そもそも、屋外スポーツや屋外イベントで雨が降るときを考えれば、少雨の場合は決行となる場合はあるが、防水カバーが必要になるほどの横殴りの豪雨になった場合は、試合やイベントそのものが中止となるため、防滴カバーはあくまでも小雨の場合に限られるため、防水性は問われない簡単な構造でよい。
本発明は、少雨の場合に簡単に装着可能で、且つ、気を使うことなく取り扱え、安価なビデオカメラ用防滴カバーが提供でき、利用可能性は極めて高い発明である。
【符号の説明】
【００４２】
１      防滴カバー
２      窓部
３      扉
４      ひさし部
５      ヒンジ
６      ビデオカメラ
７      バッテリー
８      ベルト
９      長孔部
１０    カメラネジ
１１    ヒンジ部
１２    扉ストッパー
１３    切り欠き
１４    前方のレンズ側
１５    後方の操作側
１６    液晶モニター
１７    画面
１８    三脚取り付け用クイックシュー
Ｌ    ひさし寸法
２０    レンズ
２１    境界
２２    境界
２３    境界
２４    境界
２５    消音材
２６    シート防滴カバー
２７    接続部
２８    突起爪
２９    切り込み
３０    ツメ
３１    シート防滴カバー
３２    折り曲げ可能部
３３    接着部
【図１】
2017161684.tif 000003
【図２】
2017161684.tif 000004
【図３】
2017161684.tif 000005
【図４】
2017161684.tif 000006
【図５】
2017161684.tif 000007
【図６】
2017161684.tif 000008
【図７】
2017161684.tif 000009
【図８】
2017161684.tif 000010
【図９】
2017161684.tif 000011
【図１０】
2017161684.tif 000012
【図１１】
2017161684.tif 000013
【図１２】
2017161684.tif 000014
【図１３】
2017161684.tif 000015
【図１４】
2017161684.tif 000016
【図１５】
2017161684.tif 000017
【図１６】
2017161684.tif 000018
【図１７】
2017161684.tif 000019